(57)【要約】【課題】付け替え前の装置の数又は寸法と付け替え後の装置の数又は寸法とが異なる場合でも、付け替え後の装置を容易にまとめて一体に壁面化粧することができる壁化粧用パネルユニットの提供。【解決手段】建物内部の壁面に予め配設された第一の所定数の装置を第一の所定数と異なる第二の所定数の装置に取り替える際に、第二の所定数の装置の周囲の壁面を化粧するための壁面化粧用パネルユニットであって、（１）壁面方向に固定したときに第二の所定数の装置が外部に覗くように第二の所定数の開口部を設け、板状部材から構成された壁固定パネルと、（２）壁固定パネルを壁面方向に覆う形状を有し、壁固定パネルに覆うときに、壁固定パネルの開口部を覗く位置に開口部を設け、壁固定パネルに対して少なくとも下方向に位置決め可能に構成された化粧パネルと、を備える壁化粧用パネルユニット。【選択図】図６
2010245651.tif 000002
【特許請求の範囲】
【請求項１】
建物内部の壁面に予め配設された第一の所定数の装置を前記第一の所定数と異なる第二の所定数の装置に取り替える際に、前記第二の所定数の装置の周囲の壁面を化粧するための壁面化粧用パネルユニットであって、
前記壁面方向に固定したときに前記第二の所定数の装置が外部に覗くように前記第二の所定数の開口部を設け、板状部材から構成された壁固定パネルと、
前記壁固定パネルを壁面方向に覆う形状を有し、前記壁固定パネルに覆うときに、該壁固定パネルの開口部を覗く位置に開口部を設け、該壁固定パネルに対して少なくとも下方向に位置決め可能に構成された化粧パネルと、を備える壁化粧用パネルユニット。
【請求項２】
前記壁固定パネルは、少なくとも１つ以上の孔を設け、
前記化粧パネルは、前記固定パネルに位置決めするときに前記孔に上方向から引っ掛けることが可能なフックを有する、請求項１に記載の壁化粧用パネルユニット。
【請求項３】
前記孔は、壁固定パネルの上部または下部に２つ上部孔または２つの下部孔として形成され、
前記フックは、２つの前記上部孔または下部孔それぞれに引っ掛けることができるように２つ設けられる、請求項２に記載の壁化粧用パネルユニット。
【請求項４】
前記壁固定パネルは、前記上部孔または下部孔より下方または上方に少なくとも１つ以上の下部孔または上部孔を設け、
前記化粧パネルは、前記固定パネルに位置決めするときに前記下部孔または上部孔に上方向から引っ掛けることが可能な下部フックまたは上部フックを有する、請求項２又は３に記載の壁化粧用パネルユニット。
【請求項５】
前記装置は、通信装置の室内用のコントロールユニットであり、
前記壁固定パネルは、前記コントロールユニットの壁からの突出高さと略同一の壁方向高さを有するように板状部材を凸形状に構成したものであり、該凸形状の裾部分に前記壁固定パネルと壁面とをネジ結合するためのネジ穴を有する、請求項１〜４のいずれかに記載の壁化粧用パネルユニット。
【請求項６】
前記壁固定パネルと前記化粧パネルとは、壁方向に互いに連結するための連結孔が設けられ、
前記連結孔は、前記化粧パネルを前記壁固定パネルに位置決めしたときに、互いに覗く位置に配設される、請求項１〜５のいずれかに記載の壁化粧用パネルユニット。
【発明の詳細な説明】
【技術分野】
【０００１】
本発明は、建物内に予め配設されたコントロールユニットを覆って化粧用する壁化粧用パネルユニット、とりわけ室内用インターフォンのコントロールユニット等を壁に取り付けた場合に、その周囲の壁面を容易に化粧することが可能な壁化粧用パネルユニットに関する。
【背景技術】
【０００２】
一般的に、建物内には種々の通信デバイス等の装置のコントロールユニット（親機）が設置されており、代表的には訪問者と在住者とを連絡するインターフォンの音声操作盤や表示画面等を含む室内コントロールユニットが存在する。
【０００３】
近年、特にインターフォン用のコントロールユニット等の装置の開発は目覚ましく、従来は、玄関先の訪問者と室内の在住者とが音声のみを介してコミュニケーションをとる一個のコントロールユニットが一般的であったが、セキュリティー強化のためにこれにカメラ機能を追加すべく、室内の既設コントロールユニットの周辺にカメラの表示装置を追設コントロールユニットとして設置することが行われている。
【０００４】
逆に、単一のコントロールユニットで、音声操作盤及び表示画面を含む場合もあり、上記のように既設コントロールユニットと追設コントロールユニットとの２個のコントロールユニットを、単一のコントロールユニットに付け替える事例も増加している。また、単一のコントロールユニットであっても、以前と異なる寸法のコントロールユニットに付け替える事例もある。
【０００５】
このように以前と異なる個数のコントロールユニットを設置する場合や、以前のコントロールユニットの寸法と異なる寸法のコントロールユニットを設置する場合、壁に穴を開けたり、壁の穴を拡大したりして、新たなコントロールユニットを埋め込む必要があり、新たに設置したコントロールユニットと周辺の壁に隙間が発生したり、配線が外部から見えたりしてしまう。
【０００６】
したがって、コントロールユニットの周囲を覆って隠す化粧板が必要であるところ、玄関の外側に設置するインターフォン用の呼出装置（玄関子機、場合によってはカメラを含む。）のための室外用取付構造については、例えば特許文献１に開示されているような従来技術があるが、室内に設置するコントロールユニットのための室内用取付構造に関しては、従来の化粧施工ではコントロールユニットごとに化粧板で覆う対応が一般的であり、その他に特に目立った従来技術は見当たらないのが実情である。
【０００７】
なお、特許文献１においては、玄関の外側に掛止部を設け、持ち物や飾りを係止することができる玄関パネルを提供することを意図して、玄関の外壁に沿って取り付けられる板部材と、前記板部材から突出したフック部材と、前記フック部材の少し上方に取り付けられ前記板部材に対して直角な方向と平行な方向に位置する新聞ガイド部材が設けられ、前記新聞ガイド部材は配達された新聞の側面を保持し、前記フック部材は前記新聞の下端部を保持し、前記フック部材と前記新聞ガイド部材で新聞受けとなることを特徴とする玄関パネルが提案され、上記板部材にインターホン（玄関子機に相当すると考えられる。）を設置することが提案されている。
【先行技術文献】
【特許文献】
【０００８】
【特許文献１】特開２００８−１１３８１５号公報
【発明の概要】
【発明が解決しようとする課題】
【０００９】
しかしながら、従来の化粧施工の場合、メーカーや工務店がそれぞれの装置のコントロールユニットに対応する化粧板を施工業者に提供しており、複数のコントロールユニットを設置することになる場合等には、それぞれのコントロールユニットに対応した化粧板が必要となり、それぞれの化粧板同士が干渉する問題があった。
【００１０】
また、このような化粧板同士の干渉という問題を回避するために、それぞれのコントロールユニットを大きく離間させて配設した場合、室内にコントロールユニットが点在することになり、室内の審美性を損なったり、使い勝手が悪くなったりする問題を発生させていた。また、近年、ディスプレイの拡大化等の影響により複数のコントロールユニットのまとめ方に自由度を持たせたいというユーザーニーズも大きくなってきている。
【００１１】
以上のような問題は、上記特許文献１に記載の室外用取付構造でも解消することができないところ、本発明はこのような事情に鑑みて開発されたものであり、既設の装置を個数や寸法の異なる装置に取り替える工事（例えば、複数の装置のコントロールユニットを所望する数のコントロールユニットごとにまとめて一体に取り替える場合）や既設の装置に別の装置を追設する工事をする場合に、付け替え前の装置の数又は寸法と付け替え後の装置の数又は寸法とが異なる場合でも、付け替え後の装置を容易にまとめて一体に壁面化粧することができる壁化粧用パネルユニットを提供することを目的とする。
【課題を解決するための手段】
【００１２】
本発明は、建物内部の壁面に予め配設された第一の所定数又は所定寸法の装置を前記所定数又は前記所定寸法と異なる第二の所定数又は所定寸法の装置に取り替える際に、当該第二の所定数又は所定寸法の装置の周囲の壁面を化粧するための壁面化粧用パネルユニットを提供する。
【００１３】
この本発明の壁化粧用パネルユニットでは、前記壁面方向に固定したときに前記第二の所定数又は前記所定寸法の装置が外部に覗くように前記第二の所定数又は所定寸法の開口部を設け、板状部材から構成された壁固定パネルと、前記壁固定パネルを壁面方向に覆う形状を有し、前記壁固定パネルに覆うときに前記壁固定パネルの開口部を覗く位置に開口部を設け、前記壁固定パネルに対して少なくとも下方向に位置決め可能に構成された化粧パネルと、を備えている。
【００１４】
本発明の壁化粧用パネルユニットによれば、付け替え前後で装置（例えば、実施形態ではコントロールユニット）の個数が変わる場合に、付け替え後の装置の壁面を容易に化粧することが可能となる。具体的には、本発明の壁化粧用パネルユニットは、壁面に直接固定する壁固定パネルと、壁固定パネルに対して位置決めできる化粧パネルとで構成されているため、装置を堅い壁固定パネルに固定し、これを壁に固定することで付け替えた装置を十分な強度で壁に固定でき、化粧パネルの強度が弱くても、化粧パネルは壁固定パネルに取り付けるだけなので問題が生じない。
【００１５】
また、付け替え前後での装置の大きさについても、壁固定パネルと化粧パネルとが有する開口部の大きさを換えるだけで十分な壁面化粧を施すことができる。さらに、その施工時において化粧パネルは壁固定パネルに対して下方向に容易に位置決めできるので施工時の負担を軽減することが可能となる。
【００１６】
また、本発明の壁化粧用パネルユニットの壁固定パネルは、少なくとも１つ以上の孔を設け、前記化粧パネルは、前記固定パネルに位置決めするときに前記孔に上方向から引っ掛けることが可能なフックを有していることが好ましい。
【００１７】
また、上述の孔は、壁固定パネルの上部または下部に２つ上部孔または２つの下部孔として形成され、前記フックは、２つの前記上部孔または下部孔それぞれに引っ掛けることができるように２つ設けられる場合もある。
【００１８】
また、前記壁固定パネルは、前記上部孔または下部孔より下方または上方に少なくとも１つ以上の下部孔または上部孔を設け、前記化粧パネルは前記固定パネルに位置決めするときに前記下部孔または上部孔に上方向から引っ掛けることが可能な下部フックまたは上部フックを有してもよい。
【００１９】
壁固定パネルに化粧パネルを位置決めするには、それぞれに少なくとも１つの孔とこれに引っ掛けるフックとを設けるだけで施工時に化粧パネルが落下することなく、位置決め可能となる。
【００２０】
施工時に壁固定パネルに化粧パネルをよりしっかり位置決めするには、両パネルを複数のフックで位置決めすることが好ましく、例えば、フックが上部に並んで２つある場合や、フックが上部に並んで２つあり且つ下部に１つある場合が考えられる。逆にフックが下部に並んで２つある場合や、フックが下部に並んで２つあり且つ上部に１つある場合も考えられる。
【００２１】
また、前記装置は、通信装置の室内用のコントロールユニットであり、前記壁固定パネルは、前記コントロールユニットの壁からの突出高さと略同一の壁方向高さを有するように板状部材を凸形状に構成したものであり、該凸形状の裾部分に前記壁固定パネルと壁面とをネジ結合するためのネジ穴を有することが好ましい。
【００２２】
コントロールユニットを壁にまとめて固定し、壁化粧する場合、コントロールユニットの壁から突出した部分、例えばディスプレイの前面などの突出部分を壁固定パネルがこれを十分に吸収することができる。
【００２３】
また、前記壁固定パネルと前記化粧パネルとは、壁方向に互いに連結するための連結孔が設けられ、該連結孔は、前記化粧パネルを前記壁固定パネルに位置決めしたときに、互いに覗く位置に配設されることが好ましい。
【００２４】
このような孔を壁固定パネルと化粧パネルにそれぞれ設けると、施工の安全のためフックにより下方向（及び左右方向）に位置決めされた化粧パネルを、しっかりと連結固定することができる。また、まとめるコントローユニットごとに連結具等で壁固定パネルに固定し、その連結具等を壁固定パネルと化粧パネルとの連結固定に使用することも容易であり、少ない部材で安全に化粧施工することができる。
【発明の効果】
【００２５】
本発明の壁化粧用パネルユニットによれば、付け替え前の装置の数又は寸法と付け替え後の装置の数又は寸法とが異なる場合でも、施工時に装置を容易にまとめて一体に壁面化粧することができる。
【図面の簡単な説明】
【００２６】
【図１】本発明の壁化粧用パネルユニットの壁固定パネルを表側から見た正面図である。
【図２】本発明の壁化粧用パネルユニットの化粧パネルを裏側（壁側）から見た背面図である。
【図３】図１に示す壁固定パネルを上方から見た天面図である。
【図４】図２に示す化粧パネルを表側から見た正面図である。
【図５】図２に示す化粧パネルに設けられたフックの１つの拡大斜視図である。
【図６】本発明の壁化粧用パネルユニットと装置（コントロールユニット）との組み立て状態を示す分解斜視図である。
【発明を実施するための最良の形態】
【００２７】
以下、本発明の壁化粧用パネルユニットの代表的な一実施の形態について、図１〜６を参照しながら説明する。本実施の形態の壁化粧用パネルユニットは、建物内部の壁面に予め配設された第一の所定数（２個以上）と異なる第二の所定数（１個）の装置に取り替える際に、当該第二の所定数の装置の周囲の壁面を化粧するための壁面化粧用パネルユニットに関する。なお、本実施の形態は代表的なものであって、本発明はこれに限定されるものではない。
【００２８】
図１は、壁固定パネルを壁方向表側から見た正面図を、図２は、化粧パネルを壁方向裏側から見た背面図を、図３は、壁固定パネルを図１紙面上方から見た天面図を、図４は、化粧パネルを壁方向表側から見た正面図を、図５は化粧パネルを上方から壁固定パネルに引っ掛けるフックの１つを示した拡大図であり、図６は、壁固定パネルを化粧パネルに取り付ける状態を示した組立斜視図である。なお、壁化粧用パネルユニットの全体は、図６において参照番号１０としてのみ示されている。
【００２９】
まず、コントロールユニット（図６参照番号）に被せた状態で室内の壁面に固定するための壁固定パネルについて説明する。図１の正面図と図３の天面図とから理解されるように、壁固定パネル１２は、板状部材を凸状に折り曲げた構成を有しており、図１の紙面が壁面に相当する。この壁固定パネル１２は、通常、熱可塑性樹脂等の樹脂材料又は鉄若しくはステンレス等の金属材料で構成される。なかでも、加工の容易さを考慮しつつ、化粧対象となるコントロールユニットや壁固定パネルに取り付ける化粧パネルの自重を担持し十分な強度で壁面に固定させるという観点から、壁固定パネル１２は、鉄若しくはステンレス等の金属材料で構成されるのが好ましい。
【００３０】
したがって、壁固定パネル１２には、壁面に固定するための裾部分１４が設けられている。この裾部分１４を壁面に固定することにより、壁固定パネル１２は壁面に固定される。この固定の際に十分な固定強度をもたせるために、本実施の形態ではネジで壁固定パネル１２を壁面に結合することとし、裾部分１４には図１の紙面に向かって貫通するネジ穴１４ａが複数配設されている。
【００３１】
図１に示すネジ穴１４ａは、ネジの径より大きく斜め方向に延びる形状を有している。これは、壁面に開けたネジ穴（図示せず）が適正位置より上下左右方向にずれて配設されたり、ネジ穴が壁面に垂直に開けられていなかったりする場合にも、遊びを設けてネジ固定をし易くするためである。一方、ネジ穴に遊びを設けだけでは壁固定パネル１２の固定時にガタつくおそれもあるため、本実施の形態の場合、ネジ穴１４ａの傾斜方向が少なくとも二方向存在し、ネジ締め段階で遊びを解消する構成となっている。
【００３２】
また、図３に示すように、壁固定パネル１２は、裾部分１４ａから紙面手前方向に突出した平面として突出平面１６を有している。通常、壁化粧用パネルユニット１０からコントロールユニット（図６に参照番号１００として略示）は突出しており、突出平面１６の突出高さはコントロールユニットの突出高さと同程度またはそれよりも高いことが好ましい。
【００３３】
また、突出平面１６には開口部１８が設けられている。これはコントロールユニット１００を外部に視認させるための開口であり、壁固定パネル１２を壁面に固定した場合、壁化粧用パネルユニット１０でまとめて化粧する対象となる１つ以上のコントロールユニット１００のユーザ視認部分が貫通する。なお、通常は、コントロールユニット１０の一部が開口部１８が外側（すなわち室内側）に突出している。
【００３４】
したがって、開口部１８の数及び寸法は、建物内部の壁面に予め配設された第一の所定数（２個以上）のコントロールユニットをこれと異なる第二の所定数（１個）のコントロールユニット１００に取り替える際に、ユーザや施工者に適宜選択されるものである。
【００３５】
ここで、壁化粧用パネルユニット１０で対象となる１つ以上のコントロールパネル１００は、配線とともに大部分が壁に埋め込まれるが、その取り付けは、壁に直接固定しておく場合だけでなく、壁固定パネル１２の裏側面（図１の突出平面１６の紙面裏側面）に装着される場合がある。後者の場合、コントロールユニット１００には突出平面１６のネジ穴２０を覗く位置にコントロールユニット１００のネジ穴（図示せず）が存在している。
【００３６】
なお、突出平面１６にあるネジ穴２０は、後述する化粧パネル３０（図２、図６参照）と壁固定パネル１２との固定にも使用され、この場合、コントロールユニット１００と壁固定パネル１２と化粧パネル３０との対応するネジ穴が全て覗く関係になる。
【００３７】
また、壁固定パネル１２の突出平面１６には、後述するフック３４ａ、ｂ、ｃ（図２参照）を引っ掛けるための孔２２ａ（上部孔）、２２ｂ（下部孔）、２２ｃ（中間孔）が設けられている。
【００３８】
次に、図２、図４及び図６を参照して、化粧パネル３０を説明する。図１は、化粧パネル３０を壁方向裏側から見たものであり、図４は、化粧パネル３０を壁方向表側から見たものである（図４の紙面が壁面に相当する）。
【００３９】
上述したように、化粧パネル３０は、壁固定パネル１２全体を覆うように取り付けられる。この化粧パネル３０も、熱可塑性樹脂等の樹脂材料又は鉄若しくはステンレス等の金属材料で構成されるが、壁固定パネル１２と相違し、コントロールユニット１００の自重等が作用しないため強度上の問題が少なく、むしろ室内の審美性を損なわないものであることが必要という観点から、熱可塑性樹脂等の樹脂材料で構成されるのが好ましい。
【００４０】
したがって、化粧パネル３０の表側（図４）は、コントロールユニット１００や壁面の色彩に近い色彩を有していることが好ましい（もちろんユーザの嗜好により種々のデザインを採用することができる。）。
【００４１】
また、化粧パネル３０は、図６に示すように、壁固定パネル１２を覆って壁面との隙間ができないように壁面より突出する盆形状の板状部材である。その突出高さは壁固定パネル１２の突出高さよりも高いことが好ましい。
【００４２】
ここで、化粧パネル３０の突出部分であり、ユーザが外部から主として視認できる平面をその裏面及び表面の総称として化粧平面とし、参照番号３１を付している。この化粧平面３１は、壁固定パネル１２と同様に紙面方向に貫通する開口部３２が設けられ、この開口部３２は壁固定パネル１２に化粧パネル３０が取り付けられた際にコントロールパネル３２が覗くように設けられる。
【００４３】
さらに、化粧パネル３０の化粧平面３１の裏側（図２）には、壁固定パネル１２に引っ掛けて取り付けるためのフック３４ａ、３４ｂ、３４ｃが装着されている。図５にはフック３４ａ、３４ｂ、３４ｃ（以下、単にフック３４と称することもある）の一例が拡大視されている。
【００４４】
図５に示すように、フック３４は横方向には幅広い形状を有し、通常は化粧パネル３０と同じ材料で形成されており、矢印Ａ側の平面３８を化粧パネル３０の化粧平面３１裏側（図２）に固着されている。この固着は、通常、接着剤を使用する。このためフック３４と化粧平面３１との固着力を高めるべくフック３４は平面３４ａを大きくしている。もっとも、化粧パネル３０とフック３４とは一体的に成形されていても構わない。
【００４５】
また、フック３４はその下部において、幅方向に延び側方から見ると逆Ｌ字形状をなした切り欠き部４０を設けている。この切り欠き部４０は、化粧パネル３０を壁固定パネル１２に取り付ける際に、孔２２ａ、２２ｂ、２２ｃ（以下、単にフック３４とも称する）の下縁に引っ掛けるためのものであり、化粧平面３１の裏面と切り欠き平面４０ａとの隙間に壁固定パネルの孔２２の下縁を挿入する。これにより、化粧パネル３０は壁固定パネル１２に対して下方向及び左右方向に位置決めされる。
【００４６】
本実施の形態では、この位置決めを確実にするために、化粧パネル３０の化粧平面３１にそれぞれ２つの上部フック３４ａ、下部ブック３４ｃ、中間フック３４ｂが装着されている（図２参照）。また、壁固定パネル１２にもこれらの６つのフック３４に対応する孔２２が設けられている。
【００４７】
また、フック３４は、化粧パネル３０を壁固定パネル１２に引っ掛けたときに上方向には位置決めされていないため、施工後の安定固定を担保するために他の固定手段を設けてもよい。
【００４８】
また、本実施の形態では、図２に示すように、開口部３２の周囲にネジ穴３６を設けている。このネジ穴３６は、前述する壁固定パネル１２のネジ穴２０を覗く位置に配設されており、化粧パネル３０を壁固定パネル１２に引っ掛けた後、それぞれのネジ穴３６、２０を連結することで両パネル３０、１２を固定する。
【００４９】
なお、前述したように、壁固定パネル１２においてネジ穴２０を介してコントロールユニット１００を固定した場合、これに使用した連結具をそのまま化粧パネル３０の固定に使用することもできる。例えば、コントロールユニット１００と壁固定パネル１２との固定にボルト及びナットを用いた場合、そのボルトの足を化粧パネル３０の裏側（図２の紙面側）からネジ穴３６に挿入して、化粧パネル３０の表側からナット結合するがごときである。
【００５０】
最後に、上述した本実施の形態の壁化粧用パネルユニット１０の施工方法について、図６を参照しながら概説する。図６では、コントロールユニット１００が略示されており、壁は省略している。また、コントロールユニット１００は、施工後に、その後部１００ｂが配線等とともに壁内に埋入され、前部１００ｂは壁面より突出するものである。ここでは、コントロールユニットが２個であったものを、図６に示すように２個が一体化された１個のコントロールユニット１００に取り替える施工であることを前提とする。
【００５１】
なお、壁化粧用パネルユニット１０を壁に施工した後は、前部１００ｂが壁化粧用パネルユニット１０より外側（室内側）に突出している場合もある。また、図６においては、図６中左側（壁側）から順に、コントロールユニット１００並びに壁化粧用パネルユニット１０（壁固定パネル１２及び化粧パネル３０）が並んでいる位置関係を示しているが、コントロールユニット１００は図６中左側（壁側）から開口部１８、３２に挿入される場合もあるし、配線がある場合等には、壁にまず壁化粧用パネルユニット１０を施工し、その後、コントロールユニット１００が図６中右側（室内側）から開口部３２、１８に挿入される場合もある。
【００５２】
本実施の形態の壁化粧用パネルユニット１０の一施工方法では、まず、第一の施工工程では、壁に設置された２つのコントロールユニット１００の前部１００ａを壁固定パネル１２の開口部１８に挿入し、ネジ穴２０を介してコントロールユニット１００と壁固定パネル１２とを連結固定する。例えば、図示しないが、後部１００ｂに設けたネジ穴と壁固定パネル１２のネジ穴２０とにボルトを挿入し（壁がわから挿入し）、ナットで結合するような場合が考えられる。
【００５３】
第二の施工工程では、コントロールユニット１００を連結固定した壁固定パネル１２を壁面に固定する。この固定は、壁固定パネルの裾部分１４を壁面に当接し、ネジ穴１４ａを介して直接壁面にネジ留めすることで行う。
【００５４】
第三の施工工程では、壁面に固定された壁固定パネル１２に化粧パネル３０を位置決めする。具体的には、化粧パネル３０のフック３４を壁固定パネル１２の孔２２に引っ掛ける。前述したようにフック３４は上方から孔２２に引っ掛ける。この工程により、フック３４が幅広のものであることも相まって、化粧パネル３０は壁固定パネル１２に対して下方向及び左右方向に位置決めされる。
【００５５】
第四の施工工程では、位置決めされた化粧パネル３０を同パネル３０のネジ穴３６と壁固定パネル１２のネジ穴２０とを介して両パネル３０、１２を連結固定する。このとき前述のようにコントロールユニット１００を壁固定パネル１２にボルト結合した場合には、そのボルトの足をそのまま化粧パネル３０のネジ穴３６に挿入して表側からボルト等を締めて結合することも考えられる。この第一施工工程から第四施工工程により付け替え前後で数が変わったコントロールユニットをまとめて化粧することができる。
【００５６】
以上、本発明の代表的な実施の形態について説明したが、本発明はこれに限定されるものではなく、特許請求の範囲及び明細書の記載や教示に基づく他の改良例や変形例が存在することは当業者に容易に理解される。
【符号の説明】
【００５７】
１０・・・壁化粧用パネルユニット、
１２・・・壁固定パネル、
１４・・・裾部分、
１４ａ・・・ネジ穴、
１６・・・突出平面、
１８・・・開口部、
２０・・・ネジ穴、
２２、２２ａ、２２ｂ、２２ｃ・・・孔、
３０・・・化粧パネル、
３１・・・化粧平面、
３２・・・開口部、
３４、３４ａ、３４ｂ、３４ｃ・・・フック、
３６・・・ネジ穴、
３８・・・フックの裏面、
３９・・・フックの表、
４０・・・フックのＬ字部分、
１００・・・コントロールユニット、
１００ａ・・・前部、
１００ｂ・・・後部。
【図１】
2010245651.tif 000003
【図２】
2010245651.tif 000004
【図３】
2010245651.tif 000005
【図４】
2010245651.tif 000006
【図５】
2010245651.tif 000007
【図６】
2010245651.tif 000008